(57)【要約】【課題】天部側シート１Ａと底部側シート１Ｂとを周縁で互いに固定して成り、箱型の状態と平坦な状態との間で変形をさせることができる包装容器であって、しかも、空気等の流体を吹き込みながら平坦な状態から箱型の状態に変形した場合であっても、前記固定部にピンホールが生じることのない包装容器を提供すること。【解決手段】部側シートと底部側シートとの固定部１４０を両シートのヒートシールによって形成し、その剥離強度を９Ｎ以上とする。【選択図】図１
2020001709.tif 000002
【特許請求の範囲】
【請求項１】
天部側シートと底部側シートとを重ね、その周縁で全周に渡って互いに固定して成り、箱型の状態と平坦な状態との間で変形をさせることができる包装容器であって、
前記固定部の全体が、天部側シートと底部側シートとをヒートシールして形成されたヒートシール領域で構成されており、
このヒートシール領域の剥離強度が９Ｎ以上であることを特徴とする包装容器。
【請求項２】
天部側シートと底部側シートとを重ね、その周縁で全周に渡って互いに固定して成り、箱型の状態と平坦な状態との間で変形をさせることができる包装容器であって、
１枚のシートを折り曲げ用罫線で区分して前記天部側シート及び前記底部側シートを構成しており、
前記固定部が、この折り曲げ用罫線と、天部側シートと底部側シートとをヒートシールして形成されたヒートシール領域との両者で構成されており、
このヒートシール領域の剥離強度が９Ｎ以上であることを特徴とする包装容器。
【請求項３】
ヒートシール領域の前記剥離強度が２０Ｎ以上であることを特徴とする請求項１又は２に記載の包装容器。
【請求項４】
前記天部側シートの外形と前記底部側シートの外形のうち、一方が他方より大きいことを特徴とする請求項１〜３のいずれかに記載の包装容器。
【請求項５】
天部側シートの端縁及び底部側シートの端縁に、それぞれ、２以上の位置合わせマークを有し、かつ、これら天部側シートの位置合わせマークと底部側シートの位置合わせマークとが互いに対応する位置に配置されていることを特徴とする請求項１〜４のいずれかに記載の包装容器。
【請求項６】
前記天部側シートと底部側シートとが、それぞれ、次の構造を有することを特徴とする請求項１〜５のいずれかに記載の包装容器。
天部側シートの構造：
中央に多角形状の天面を有し、
この多角形状天面の各辺を一辺とする四角形状の天部側側面を、前記多角形状天面の辺の数と同じ数だけ有しており、
互いに隣接する各天部側側面の間に、この天部側側面同士を繋いでしかも閉塞する天部側つなぎ片を有しており、
これら天部側側面及び天部側つなぎ片の外側に、底部側シートと固定する天部側固定部を有しており、
隣接する前記四角形状の天部側側面を構成する辺同士が一致するように前記天部側つなぎ片を二つ折りできる天部側二つ折り用罫線が設けられている
構造。
底部側シートの構造：
中央に多角形状の底面を有し、
この多角形状底面の各辺を一辺とする四角形状の底部側側面を、前記多角形状底面の辺の数と同じ数だけ有しており、
互いに隣接する各底部側側面の間に、この底部側側面同士を繋いでしかも閉塞する底部側つなぎ片を有しており、
これら底部側側面及び底部側つなぎ片の外側に、天部側シートと固定する底部側固定部を有しており、
隣接する前記四角形状の底部側側面を構成する辺同士が一致するように前記底部側つなぎ片を二つ折りできる底部側二つ折り用罫線が設けられている
構造。
【請求項７】
前記天面に開口部を有することを特徴とする請求項６に記載の包装容器。
【発明の詳細な説明】
【技術分野】
【０００１】
本発明は、包装容器に関するものである。
【背景技術】
【０００２】
シート材を箱型に折り曲げ、端部を重ね合わせてシールすることにより形成される包装容器が知られている。
【０００３】
例えば、特許文献１には、紙を基材とするシート材を用いた容器本体のサイドシールに剥離可能なプルタブを設けて、プルタブが、易剥離性のテープ状フィルムによる剥離層を介して剥離可能に設けられている包装容器（液体包装用紙容器）が開示されている。この包装容器は、プルタブを引っ張ることによってサイドシール部を剥離して、あるいは側面板に設けたプルタブを引っ張ることによって側面板を切り破って、それをきっかけとして解体することができる。
【０００４】
特許文献１の包装容器は廃棄に際して解体が容易であるため、ゴミの減容化に有用であるが、一度解体した包装容器を再度組立てて使用することはできなかった。
【先行技術文献】
【特許文献】
【０００５】
【特許文献１】特開平９−２９０８２２号公報
【発明の概要】
【発明が解決しようとする課題】
【０００６】
このような問題に対処するため、本出願人は、特願２０１７−１４３７０６号を特許出願した。この特許出願に係る発明によれば、箱型の状態と平坦な状態との間で変形をさせることができ、一度平坦な状態に潰した後でも再び箱型の状態に戻すことにより再使用することが可能な包装容器を得ることができる。
【０００７】
特願２０１７−１４３７０６号のこの包装容器は、同形同大の天部側シートと底部側シートとを重ね、その周縁で全周に渡って互いに固定して構成されている。この固定部は、例えば、その全周が、天部側シートと底部側シートとをヒートシールしたヒートシール領域で構成されている。あるいは、１枚のシートを折り曲げ用罫線で区分して天部側シート及び底部側シートとし、この折り曲げ用罫線を除く全周囲でヒートシールすることにより、このヒートシール領域と前記折り曲げ用罫線とで固定部を構成している。
【０００８】
ところで、この包装容器を平坦な状態から箱型の状態に変形する際にはその内容積が増大するから、この内容積増大を伴う変形を確実かつ速やかに行うためには、包装容器内部に空気等の流体を吹き込みながら変形させることが望ましい。
【０００９】
しかしながら、このように空気等の流体を吹き込みながら変形させると、前記ヒートシール領域の一部が剥離してピンホールが生じることがあった。
【００１０】
本発明はこのような技術的背景に基づいてなされたもので、天部側シートと底部側シートとを周縁で互いに固定して成り、箱型の状態と平坦な状態との間で変形をさせることができる包装容器であって、しかも、空気等の流体を吹き込みながら平坦な状態から箱型の状態に変形した場合であっても、前記固定部にピンホールが生じることのない包装容器を提供することを目的とする。
【課題を解決するための手段】
【００１１】
すなわち、請求項１に記載の発明は、天部側シートと底部側シートとを重ね、その周縁で全周に渡って互いに固定して成り、箱型の状態と平坦な状態との間で変形をさせることができる包装容器であって、
前記固定部の全体が、天部側シートと底部側シートとをヒートシールして形成されたヒートシール領域で構成されており、
このヒートシール領域の剥離強度が９Ｎ以上であることを特徴とする包装容器である。
【００１２】
次に、請求項２に記載の発明は、天部側シートと底部側シートとを重ね、その周縁で全周に渡って互いに固定して成り、箱型の状態と平坦な状態との間で変形をさせることができる包装容器であって、
１枚のシートを折り曲げ用罫線で区分して前記天部側シート及び前記底部側シートを構成しており、
前記固定部が、この折り曲げ用罫線と、天部側シートと底部側シートとをヒートシールして形成されたヒートシール領域との両者で構成されており、
このヒートシール領域の剥離強度が９Ｎ以上であることを特徴とする包装容器である。
【００１３】
次に、請求項３に記載の発明は、ヒートシール領域の前記剥離強度が２０Ｎ以上であることを特徴とする請求項１又は２に記載の包装容器である。
【００１４】
次に、請求項４に記載の発明は、前記天部側シートの外形と前記底部側シートの外形のうち、一方が他方より大きいことを特徴とする請求項１〜３のいずれかに記載の包装容器である。
【００１５】
次に、請求項５に記載の発明は、天部側シートの端縁及び底部側シートの端縁に、それぞれ、２以上の位置合わせマークを有し、かつ、これら天部側シートの位置合わせマークと底部側シートの位置合わせマークとが互いに対応する位置に配置されていることを特徴とする請求項１〜４のいずれかに記載の包装容器である。
【００１６】
次に、請求項６に記載の発明は、前記天部側シートと底部側シートとが、それぞれ、次の構造を有することを特徴とする請求項１〜５のいずれかに記載の包装容器である。
天部側シートの構造：
中央に多角形状の天面を有し、
この多角形状天面の各辺を一辺とする四角形状の天部側側面を、前記多角形状天面の辺の数と同じ数だけ有しており、
互いに隣接する各天部側側面の間に、この天部側側面同士を繋いでしかも閉塞する天部側つなぎ片を有しており、
これら天部側側面及び天部側つなぎ片の外側に、底部側シートと固定する天部側固定部を有しており、
隣接する前記四角形状の天部側側面を構成する辺同士が一致するように前記天部側つなぎ片を二つ折りできる天部側二つ折り用罫線が設けられている
構造。
底部側シートの構造：
中央に多角形状の底面を有し、
この多角形状底面の各辺を一辺とする四角形状の底部側側面を、前記多角形状底面の辺の数と同じ数だけ有しており、
互いに隣接する各底部側側面の間に、この底部側側面同士を繋いでしかも閉塞する底部側つなぎ片を有しており、
これら底部側側面及び底部側つなぎ片の外側に、天部側シートと固定する底部側固定部
を有しており、
隣接する前記四角形状の底部側側面を構成する辺同士が一致するように前記底部側つなぎ片を二つ折りできる底部側二つ折り用罫線が設けられている
構造。
【００１７】
次に、請求項７に記載の発明は、前記天面に開口部を有することを特徴とする請求項６に記載の包装容器である。
【発明の効果】
【００１８】
後述の実施例及び比較例から分かるように、天部側シートと底部側シートとをヒートシールして形成されたヒートシール領域の剥離強度が９Ｎ以上である場合（実施例１〜５）、空気等の流体を吹き込みながら平坦な状態から箱型の状態に変形した場合でも、包装容器にピンホールを生じることがない。一方、剥離強度が９Ｎより小さい場合（比較例１〜２）には、包装容器にピンホールを生じることがある。
【００１９】
なお、ヒートシール領域の剥離強度が２０Ｎ以上である場合（実施例１〜２）には、空気等の流体を吹き込みながら平坦な状態から箱型の状態に変形した後、平坦な状態に戻し、次に空気等の流体を吹き込みながら箱型の状態に再度変形した場合でも、包装容器にピンホールを生じることがない。
【図面の簡単な説明】
【００２０】
【図１】図１は本発明の包装容器の第１の具体例に係り、その天部側シートの平面図である。
【図２】図２は本発明の包装容器の第１の具体例に係り、その底部側シートの平面図である。
【図３】図３は本発明の包装容器の第１の具体例に係り、その平坦な状態の平面図である。
【図４】図４は本発明の包装容器の第１の具体例に係り、その箱型の状態の斜視図である。
【図５】図５は本発明の包装容器の第１の具体例の変形例に係り、１枚のシートで天部側シートと底部側シートの双方を構成した場合の平面図である。
【図６】図６は本発明の包装容器の第２の具体例に係り、その天部側シートの平面図である。
【図７】図７は本発明の包装容器の第２の具体例に係り、その底部側シートの平面図である。
【図８】図８は本発明の包装容器の第２の具体例に係り、その箱型の状態の斜視図である。
【図９】図９は本発明の包装容器の第３の具体例に係り、その天部側シートの平面図である。
【図１０】図１０は本発明の包装容器の第３の具体例に係り、その底部側シートの平面図である。
【図１１】図１１は本発明の包装容器の第３の具体例に係り、その箱型の状態の斜視図である。
【発明を実施するための形態】
【００２１】
以下、図面を参照して本発明の具体例を説明する。図１〜４は本発明の包装容器の第１の具体例に係り、図１及び図２は、それぞれ、天部側シート１Ａ及び底部側シート１Ｂを示している。
【００２２】
まず、天部側シート１Ａは、その中央に多角形状の天面１Ａ１０を有している。この例
では、長方形状である。そして、この天面１Ａ１０には開口部１Ａ１１が設けられている。この開口部１Ａ１１に口栓を装着しておくこともできる。
【００２３】
次に、天部側シート１Ａは、多角形状の天面１Ａ１０の各辺を折り曲げ用罫線として、この天面１Ａ１０の各辺を一辺とする四角形状の天部側側面１Ａ２１〜１Ａ２４を有している。天部側側面１Ａ２１〜１Ａ２４の数は、多角形状天面１Ａ１０の辺の数と同じである。この例では天面１Ａ１０は四角形状であるから、この四角形状天面１Ａ１０の辺の数は４であり、天部側側面１Ａ２１〜１Ａ２４の数も４である。
【００２４】
また、天部側シート１Ａは、互いに隣接する各天部側側面の間に、この天部側側面１Ａ２１〜１Ａ２４同士を繋ぐ天部側つなぎ片１Ａ３１〜１Ａ３４を有している。すなわち、天部側側面１Ａ２１と天部側側面１Ａ２２との間は天部側つなぎ片１Ａ３１で繋がれている。また、天部側側面１Ａ２２と天部側側面１Ａ２３との間は天部側つなぎ片１Ａ３２で繋がれている。その他の天部側側面についても同様である。なお、各天部側側面１Ａ２１〜１Ａ２４と天部側つなぎ片１Ａ３１〜１Ａ３４との間には折り曲げ用罫線が設けられている。
【００２５】
そして、この天部側つなぎ片１Ａ３１〜１Ａ３４によって、天部側側面１Ａ２１〜１Ａ２４の間は閉塞されている。図示のように、この例では、天部側側面１Ａ２１〜１Ａ２４と天部側つなぎ片１Ａ３１〜１Ａ３４とを併せた部分の外形は長方形を構成しており、各天部側つなぎ片１Ａ３１〜１Ａ３４はその角部に位置して、天部側側面１Ａ２１〜１Ａ２４の間を閉塞している。例えば、天部側側面１Ａ２１と天部側側面１Ａ２２との間は天部側つなぎ片１Ａ３１で閉塞している。
【００２６】
この天部側つなぎ片１Ａ３１〜１Ａ３４は、天面１Ａ１０の各頂点から、天部側つなぎ片１Ａ３１〜１Ａ３４を二等分する天部側二つ折り用罫線を有している。すなわち、図１に拡大して示すように、例えば、天部側側面１Ａ２３と天部側側面１Ａ２４とは、天面１Ａ１０の頂点１Ａ１０ｂを共有している。天部側側面１Ａ２３を構成する辺のうち、天面１Ａ１０の頂点１Ａ１０ｂを共有している辺には、符号１Ａ２３ｂを付して示している。また、天部側側面１Ａ２４を構成する辺のうち、天面１Ａ１０の頂点１Ａ１０ｂを共有している辺には、符号１Ａ２４ｂを付して示している。そして、この辺１Ａ２３ｂと辺１Ａ２４ｂとがなす角を二等分する天部側二つ折り用罫線１Ａ３３ｃが設けられている。すなわち、図において、辺１Ａ２３ｂと二つ折り用罫線１Ａ３３ｃとがなす角α１と、辺１Ａ２４ｂと天部側二つ折り用罫線１Ａ３３ｃとがなす角α２とは等しい。以上天部側つなぎ片１Ａ３３を例として天部側二つ折り用罫線１Ａ３３ｃについて説明したが、その他の天部側つなぎ片１Ａ３１〜１Ａ３２，１Ａ３４にも同様に天部側二つ折り用罫線１Ａ３１ｃ〜１Ａ３２ｃ，１Ａ３４ｃが設けられている。
【００２７】
次に、天部側シート１Ａは、これら天部側側面１Ａ２１〜１Ａ２４と天部側つなぎ片１Ａ３１〜１Ａ３４とを併せた長方形の部分の外側に、底部側シート１Ｂと固定する天部側固定部１Ａ４０を有している。この例では、天部側固定部１Ａ４０は、全周にわたってヒートシール領域で構成しているが、後述する変形例のように、天部側シート１Ａと底部側シート１Ｂの両者を１枚のシートで構成する場合には、天部側固定部１Ａ４０の一部を天部側シート１Ａと底部側シート１Ｂとを区画する折り曲げ用罫線１ＡＢで構成することも可能である。
【００２８】
図から分かるように、この天部側固定部１Ａ４０の端縁１Ａｙは、天部側固定部１Ａ４０の外形線を構成すると共に、天部側シート１Ａの端縁（外形線）を構成している。この例では、天部側シート１Ａの端縁１Ａｙの形状は略長方形で、その角は面取りして鋭利な部分を除去してある。
【００２９】
そして、底部側シート１Ｂと重ね合わせる際の位置合わせのため、この天部側固定部１Ａ４０の端縁１Ａｙには、位置合わせマーク１Ａｙ１，１Ａｙ２が２箇所に設けられている。この位置合わせマーク１Ａｙ１，１Ａｙ２は、いずれも、前記端縁１Ａｙから内側に窪んだ凹部で構成されており、その深さ１ＤＡは０．５ｍｍ以上であることが望ましい。位置合わせマーク１Ａｙ１，１Ａｙ２のうち、いずれか一方の深さ１ＤＡが０．５ｍｍに満たない場合、確実に位置合わせすることができず、このため、箱型の状態とした包装容器１に歪みを生じ易い。なお、位置合わせマーク１Ａｙ１，１Ａｙ２の深さ１ＤＡは、望ましくは１．０ｍｍ以上である。
【００３０】
この位置合わせマーク１Ａｙ１，１Ａｙ２を、前記端縁１Ａｙから外側に突出した凸部で構成することもできるが、この場合には、その凸部の高さを０．５ｍｍ以上とすることが望ましい。より望ましくは１．０ｍｍ以上である。
【００３１】
なお、２以上の前記位置合わせマーク１Ａｙ１，１Ａｙ２のうち、一部を凹部で構成し、残部を凸部で構成することも可能である。また、３以上の位置合わせマークを設けてもよいことはもちろんである。
【００３２】
なお、図１においては、天部側固定部１Ａ４０にハッチングを施して示し、この天部側固定部１Ａ４０と天部側側面１Ａ２１〜１Ａ２４との境界、及び天部側固定部１Ａ４０と天部側つなぎ片１Ａ３１〜１Ａ３４との境界を破線１Ａｘによって示しているが、これらは説明の便宜のために施したものである。後述する底部側シート１Ｂの底部側固定部１Ｂ４０と底部側側面１Ｂ２１〜１Ｂ２４との境界１Ｂｘと異なり、天部側固定部１Ａ４０と天部側側面１Ａ２１〜１Ａ２４との境界には折り曲げ用罫線は存在しない。天部側固定部１Ａ４０と天部側つなぎ片１Ａ３１〜１Ａ３４との境界にも折り曲げ用罫線は存在しない。
【００３３】
次に、底部用シート１Ｂは天部側シート１Ａと同様の構造を有している。すなわち、まず、底部用シート１Ｂは中央に多角形状の底面１Ｂ１０を有している。この多角形状底面１Ｂ１０は天面１Ａ１０と同形同大である。
【００３４】
また、底部用シート１Ｂは、多角形状の底面１Ｂ１０の各辺を折り曲げ用罫線として、この各辺を一辺とする四角形状の底部側側面１Ｂ２１〜１Ｂ２４を、前記多角形状底面１Ｂ１０の辺の数と同じ数だけ有している。これら底部側側面１Ｂ２１〜１Ｂ２４も、それぞれ、天部側側面１Ａ２１〜１Ａ２４と同形同大である。
【００３５】
また、底部用シート１Ｂは、互いに隣接する各底部側側面１Ｂ２１〜１Ｂ２４の間に、この底部側側面１Ｂ２１〜１Ｂ２４同士を繋いでしかも閉塞する底部側つなぎ片１Ｂ３１〜１Ｂ３４を有している。これら底部側つなぎ片１Ｂ３１〜１Ｂ３４は天部側つなぎ片１Ａ３１〜１Ａ３４と同形同大である。
【００３６】
また、各底部側側面１Ｂ２１〜１Ｂ２４と底部側つなぎ片１Ｂ３１〜１Ｂ３４との間には折り曲げ用罫線が設けられている。また、各底部側つなぎ片１Ｂ３１〜１Ｂ３４には、底面１Ｂ１０の各頂点から、底部側つなぎ片１Ｂ３１〜１Ｂ３４を二等分する底部側二つ折り用罫線１Ｂ３１ｃ〜１Ａ３４Ｂが設けられている。
【００３７】
次に、底部側シート１Ｂは、これら底部側側面１Ｂ２１〜１Ｂ２４と底部側つなぎ片１Ｂ３１〜１Ｂ３４とを併せた長方形の部分の外側に、天部側シート１Ａと固定する底部側固定部１Ｂ４０を有している。この例では、底部側固定部１Ｂ４０は、全周にわたってヒートシール領域である。
【００３８】
図から分かるように、この底部側固定部１Ｂ４０の外形線１Ｂｙは、底部側固定部１Ｂ４０の外形線を構成すると共に、底部側シート１Ｂの端縁（外形線）を構成している。この例では、その外形は略長方形である。
【００３９】
そして、この底部側シート１Ｂの外形は、天部側シート１Ａの外形より小さく構成されている。
【００４０】
図１において１ＬＡは天部側シート１Ａの横方向の長さを示し、図２において１ＬＢは底部側シート１Ｂの横方向の長さを示している。そして、その差、すなわち、天部側シート１Ａの横方向の長さ１ＬＡと底部側シート１Ｂの横方向の長さ１ＬＢとの差は、０．６ｍｍ以上であることが望ましい。後述するように、天部側シート１Ａと底部側シート１Ｂとを位置合わせして重ねたとき、天部側シート１Ａの横方向の長さ１ＬＡと底部側シート１Ｂの横方向の長さ１ＬＢとの差が０．６ｍｍ以上ある場合には、両シート１Ａ，１Ｂの端縁が０．３ｍｍ以上ずれて配置される。このため、底部側シート１Ｂの端縁１Ｂｙは天部側シート１Ａに覆われるため、底部側シート１Ｂの端縁１Ｂｙが露出することがない。天部側シート１Ａと底部側シート１Ｂとの間に多少の位置ずれが生じた場合でも、底部側シート１Ｂの端縁１Ｂｙが露出することはないのである。なお、天部側シート１Ａの横方向の長さ１ＬＡと底部側シート１Ｂの横方向の長さ１ＬＢとの差は１．０ｍｍ以上あることが望ましい。
【００４１】
また、図１において１ＨＡは天部側シート１Ａの縦方向の長さを示し、図２において１ＨＢは底部側シート１Ｂの縦方向の長さを示している。その差、すなわち、天部側シート１Ａの縦方向の長さ１ＨＡと底部側シート１Ｂの縦方向の長さ１ＨＢとの差も、０．６ｍｍ以上であることが望ましい。なお、その差も１．０ｍｍ以上あることが望ましい。
【００４２】
このように、縦横共に天部側シート１Ａの長さが底部側シート１Ｂの長さより長い場合には、どの方向でも、天部側シート１Ａの長さが底部側シート１Ｂの長さより長いことになる。このため、全周のいずれの位置においても、多少の位置ずれが生じた場合でも、底部側シート１Ｂの端縁１Ｂｙが露出することがない。
【００４３】
なお、底部側シート１Ｂの底部側固定部１Ｂ４０と底部側側面１Ｂ２１〜１Ｂ２４との境界、及び底部側固定部１Ｂ４０と底部側つなぎ片１Ｂ３１〜１Ｂ３４との境界には折り曲げ用罫線１Ｂｘが設けられている。天部側シート１Ａの天部側固定部１Ａ４０の境界には折り曲げ用罫線が存在しないから、この両シート１Ａ，１Ｂを重ねて固定し、箱型の状態としたとき、互いに固定された両固定部１Ａ４０，１Ｂ４０は折り曲げ用罫線１Ｂｘによって底部側シート１Ｂ側に折り曲げられ、その外側を天部側シート１Ａが覆うことになる。そして、このため、箱型の状態においても、底部側シート１Ｂの端縁１Ｂｙが包装容器１の外面に露出することがないのである。
【００４４】
ところで、天部側シート１Ａと重ね合わせる際の位置合わせのため、この底部側固定部１Ｂ４０の端縁１Ｂｙには、位置合わせマーク１Ｂｙ１，１Ｂｙ２が２箇所に設けられている。
【００４５】
この２つの位置合わせマーク１Ｂｙ１，１Ｂｙ２は、天部側シート１Ａの位置合わせマーク１Ａｙ１，１Ａｙ２に対応する位置に配置されている。すなわち、天部側シート１Ａと底部側シート１Ｂとを正確に位置合わせして重ね合わせたとき、この両位置合わせマーク１Ａｙ１，１Ａｙ２及び１Ｂｙ１，１Ｂｙ２は互いに同一の位置に位置する。この例では、底部側シート１Ｂの外形は天部側シート１Ａの外形より小さく構成されているから、天部側シート１Ａの上に底部側シート１Ｂを重ねたときには、図３に示すように、底部側シート１Ｂの端縁１Ｂｙの外側に天部側シート１Ａの２つの位置合わせマーク１Ａｙ１，１Ａｙ２が見えることになる。もちろん、底部側シート１Ｂの２つの位置合わせマーク１Ｂｙ１，１Ｂｙ２も見えるから、この両位置合わせマーク１Ａｙ１，１Ａｙ２及び１Ｂｙ１，１Ｂｙ２を互いに位置整合させることは容易である。そして、このように両位置合わせマーク１Ａｙ１，１Ａｙ２及び１Ｂｙ１，１Ｂｙ２を互いに位置整合させることによって、天部側シート１Ａと底部側シート１Ｂとは正確に位置合わせすることができるのである。
【００４６】
この位置合わせマーク１Ｂｙ１，１Ｂｙ２は、位置合わせマーク１Ａｙ１，１Ａｙ２と同様に、端縁１Ｂｙから内側に窪んだ凹部又は端縁１Ａｙから外側に突出した凸部で構成することができる。凹部で位置合わせマーク１Ｂｙ１，１Ｂｙ２を構成した場合、位置合わせマーク１Ｂｙ１，１Ｂｙ２の深さ１ＤＢは０．５ｍｍ以上であることが望ましく、より望ましくは１ｍｍ以上であることも位置合わせマーク１Ａｙ１，１Ａｙ２と同様である。凸部で位置合わせマーク１Ｂｙ１，１Ｂｙ２を構成した場合には、その高さを０．５ｍｍ以上とすることが望ましく、より望ましくは１ｍｍ以上である。位置合わせマーク１Ｂｙ１，１Ｂｙ２のうち、一部を凹部で構成し、残部を凸部で構成してもよいし、３以上の位置合わせマークを設けてもよい。
【００４７】
この包装容器１は次のように製造することができる。
【００４８】
すなわち、まず、天部側シート１Ａと底部側シート１Ｂとを位置合わせして重ね、両固定部１Ａ４０，１Ｂ４０同士をヒートシールすることにより、平坦な状態の包装容器１を製造することができる（図３参照）。なお、底部側シート固定部１Ｂ４０の幅は天部側固定部１Ａ４０より狭いから、その全幅に渡ってヒートシールする必要はないが、全周に渡って固定できるようにヒートシールすることが望ましい。以下、両固定部１Ａ４０，１Ｂ４０同士がヒートシールされて形成されたヒートシール領域を容器固定部１４０と呼ぶ。
【００４９】
天部側シート１Ａと底部側シート１Ｂとを重ねて位置合わせする際には、外形の小さい底部側シート１Ｂを外形の大きい天部側シート１Ａの上に重ねることが望ましい。このように外形の小さい底部側シート１Ｂを上側として重ねることにより、天部側シート１Ａの位置合わせマーク１Ａｙ１，１Ａｙ２は底部側シート１Ｂの端縁１Ｂｙの外側に突出して見えるから、両位置合わせマーク１Ａｙ１，１Ａｙ２及び１Ｂｙ１，１Ｂｙ２を互いに位置整合させることにより、天部側シート１Ａと底部側シート１Ｂとを正確に位置合わせすることが容易である。
【００５０】
天面１Ａ１０と底面１Ｂ１０とは同形同大であり、天部側側面１Ａ２１〜１Ａ２４も底部側側面１Ｂ２１〜１Ｂ２４と同形同大であるから、天部側シート１Ａと底部側シート１Ｂとを正確に位置合わせして重ねたとき、これらは互いに正確に重ね合わされる。また、天部側つなぎ片１Ａ３１〜１Ａ３４と底部側つなぎ片１Ｂ３１〜１Ｂ３４も同形同大であるから、これらも正確に重なり合う。これら天部側つなぎ片１Ａ３１〜１Ａ３４に設けられた天部側二つ折り用罫線１Ａ３１ｃ〜１Ａ３４ｃも、底部側つなぎ片１Ｂ３１〜１Ｂ３４に設けられた底部側二つ折り用罫線１Ｂ３１ｃ〜１Ｂ３４ｃと正確に重なり合い、天部側シート１Ａにおける天部側固定部１Ａ４０の前記境界１Ａｘと、底部側シート１Ｂにおける底部側固定部１Ｂ４０の前記境界１Ｂｘも正確に重なり合う。このように、天面１Ａ１０と底面１Ｂ１０、天部側側面１Ａ２１〜１Ａ２４と底部側側面１Ｂ２１〜１Ｂ２４、天部側つなぎ片１Ａ３１〜１Ａ３４と底部側つなぎ片１Ｂ３１〜１Ｂ３４、天部側シート１Ａにおける天部側固定部１Ａ４０の前記境界１Ａｘと、底部側シート１Ｂにおける底部側固定部１Ｂ４０の前記境界１Ｂｘが、いずれも正確に重なり合うから、包装容器１を箱型の状態にしたときにも、この包装容器１に歪みを生じることなく、設計とおりの包装容器１を得ることができる。
【００５１】
もっとも、天部側シート１Ａの端縁（外形線）１Ａｙは底部側シート１Ｂの端縁（外形線）１Ｂｙより大きく構成されているから、この両端縁１Ａｙ，１Ｂｙの位置は一致せず、その全周に渡って、天部側シート１Ａの端縁１Ａｙは底部側シート１Ｂの端縁１Ｂｙの外側に位置する。この例では、天部側シート１Ａの横方向の長さ１ＬＡと底部側シート１Ｂの横方向の長さ１ＬＢとの差は０．６ｍｍ以上であるから、天部側シート１Ａの端縁１Ａｙと底部側シート１Ｂの端縁１Ｂｙとの間の横方向の距離ｄＬは０．３ｍｍ以上である。また、天部側シート１Ａの縦方向の長さ１ＨＡと底部側シート１Ｂの縦方向の長さ１ＨＢとの差も０．６ｍｍ以上であるから、天部側シート１Ａの端縁１Ａｙと底部側シート１Ｂの端縁１Ｂｙとの間の縦方向の距離ｄＨも０．３ｍｍ以上であり、天部側シート１Ａの端縁１Ａｙと底部側シート１Ｂの端縁１Ｂｙとは、全周に渡って、０．３ｍｍ以上ずれて構成される。
【００５２】
次に、天部側シート１Ａの固定部１Ａ４０と底部側シート１Ｂの固定部１Ｂ４０とをヒートシールされて形成されたヒートシール領域、すなわち、容器固定部１４０は、その剥離強度が９Ｎ以上であることが必要である。剥離強度が９Ｎ以上である場合、後述するように空気等の流体を吹き込みながら平坦な状態から箱型の状態に変形した場合でも、包装容器にピンホールを生じることがない。一方、剥離強度が９Ｎより小さい場合には、空気等の流体を吹き込みながら平坦な状態から箱型の状態に変形すると、包装容器にピンホールを生じることがある。
【００５３】
ヒートシール領域、すなわち、容器固定部１４０の剥離強度は、望ましくは２０Ｎ以上である。その剥離強度が２０Ｎ以上である場合には、空気等の流体を吹き込みながら平坦な状態から箱型の状態に変形した後、平坦な状態に戻し、次に空気等の流体を吹き込みながら箱型の状態に再度変形した場合でも、包装容器１にピンホールを生じることがない。
【００５４】
なお、両固定部１Ａ４０，１Ｂ４０を互いにヒートシールする際の温度、圧力、時間等のヒートシール条件を調整することによって、その剥離強度を調整することが可能である。
【００５５】
次に、この平坦な状態の包装容器１を箱型の状態に変形させる方法を説明する。図４に、箱型の状態に変形させ、各つなぎ片１Ａ３１〜１Ａ３４，１Ｂ３１〜１Ｂ３４を外面に折り重ねた状態の包装容器１を示す。
【００５６】
平坦な状態の包装容器１を箱型の状態に変形させるためには、その内部に空気等の流体を吹き込みながら、天部側つなぎ片１Ａ３１〜１Ａ３４及び底部側つなぎ片１Ｂ３１〜１Ｂ３４を、その中央に位置する天部側二つ折り用罫線１Ａ３１ｃ〜１Ａ３４ｃと底部側二つ折り用罫線１Ｂ３１ｃ〜１Ｂ３４ｃがいずれも容器外面に対して山折りになるように二つ折りすればよい。この二つ折りによって、天部側シート１Ａの天部側側面１Ａ２１〜１Ａ２４のうち、互いに隣接する側面を構成する辺同士が重なり合う。図１の拡大図を参照して天部側つなぎ片１Ａ３３について説明すると、この天部側つなぎ片１Ａ３３を天部側二つ折り用罫線１Ａ３３ｃで二つ折りすることにより、この天部側つなぎ片１Ａ３３の両側に位置する天部側側面１Ａ２３の辺１Ａ２３ｂと天部側側面１Ａ２４の辺１Ａ２４ｂとが互いに重なり合う。
【００５７】
ところで、平坦な状態の包装容器１においては、天部側シート１Ａの天部側つなぎ片１Ａ３３と底部側シート１Ｂの底部側つなぎ片１Ｂ３３とは正確に重なり合い、その天部側二つ折り用罫線１Ａ３３ｃと底部側二つ折り用罫線１Ｂ３３ｃも互いに正確に重なり合っており、天部側シート１Ａの天部側つなぎ片１Ａ３３を天部側二つ折り用罫線１Ａ３３ｃで二つ折りするとき、底部側シート１Ｂの底部側つなぎ片１Ｂ３３も底部側二つ折り用罫
線１Ｂ３３ｃで二つ折りされる。このため、底部側つなぎ片１Ｂ３３の両側に位置する底部側側面１Ｂ２３の辺１Ｂ２３ｂと底部側側面１Ｂ２４の辺１Ｂ２４ｂも互いに重なり合う。
【００５８】
そして、天部側シート１Ａの天部側側面１Ａ２３と底部側シート１Ｂの底部側側面１Ｂ２３とは容器固定部１４０を介して連続しているから、この両側面１Ａ２３，１Ｂ２３によって箱型の状態の包装容器１の側面１２３が構成される。
【００５９】
また、天部側シート１Ａの天部側つなぎ片１Ａ３３と底部側シート１Ｂの底部側つなぎ片１Ｂ３３も容器固定部１４０を介して連続しているから、この両つなぎ片１Ａ３３，１Ｂ３３で構成された部分を容器つなぎ片１３３と呼ぶと、この容器つなぎ片１３３によって前記側面同士を繋いでしかも閉塞する。すなわち、天部側側面１Ａ２３と底部側側面１Ｂ２３とで構成される側面１２３と、天部側側面１Ａ２４と底部側側面１Ｂ２４とで構成される側面１２４との間を、容器つなぎ片１３３で繋いで、しかも、ここに隙間が生じることがないように閉塞するのである。
【００６０】
以上、天部側つなぎ片１Ａ３３及び底部側つなぎ片１Ｂ３３で構成された容器つなぎ片１３３を二つ折りする場合を例として説明したが、その他のつなぎ片についても同様である。すなわち、天部側つなぎ片１Ａ３１及び底部側つなぎ片１Ｂ３１で構成された容器つなぎ片１３１を、その中央の天部側二つ折り用罫線１Ａ３１ｃ及び底部側二つ折り用罫線１Ｂ３１ｃがいずれも容器外面に対して山折りになるように二つ折りすることにより、天部側側面１Ａ２１と底部側側面１Ｂ２１とで構成される側面１２１及び天部側側面１Ａ２２と底部側側面１Ｂ２２とで構成される側面１２２が構成され、これら側面１２１と側面１２２との間を容器つなぎ片１３１で繋いで閉塞する。また、天部側つなぎ片１Ａ３２及び底部側つなぎ片１Ｂ３２で構成された容器つなぎ片１３２を、その中央の天部側二つ折り用罫線１Ａ３２ｃ及び底部側二つ折り用罫線１Ｂ３２ｃがいずれも容器外面に対して山折りになるように二つ折りすることにより、天部側側面１Ａ２２と底部側側面１Ｂ２２とで構成される側面１２３及び天部側側面１Ａ２３と底部側側面１Ｂ２３とで構成される側面１２３が構成され、これら側面１２２と側面１２３との間を容器つなぎ片１Ｂ３２で繋いで閉塞する。また、天部側つなぎ片１Ａ３４及び底部側つなぎ片１Ｂ３４で構成されたつなぎ片１３４を、その中央の天部側二つ折り用罫線１Ａ３４ｃ及び底部側二つ折り用罫線１Ｂ３４ｃがいずれも容器外面に対して山折りになるように二つ折りすることにより、天部側側面１Ａ２４と底部側側面１Ｂ２４とで構成される側面１２４及び天部側側面１Ａ２１と底部側側面１Ｂ２１とで構成される側面１２１が構成され、これら側面１２４と側面１２１との間を容器つなぎ片１３４で繋いで閉塞する。
【００６１】
そして、このようにすべての容器つなぎ片１３１〜１３４を二つ折りすることにより、各側面１２１〜１２４が形成されるから、これに伴って所定の折り曲げ用罫線で折り曲げられ、箱型の状態の包装容器１を製造することができる。この箱型の状態の包装容器１は、天面１Ａ１０と底面１Ｂ１０とを有し、その周囲に側面１２１〜１２４が設けられており、しかも、側面１２１〜１２４の間を容器つなぎ片１３１〜１３４が閉塞しているから、前記開口部１Ａ１１を除いて密封された状態にある。
【００６２】
なお、底部側シート１Ｂの底部側固定部１Ｂ４０の前記境界１Ｂｘには折り曲げ用罫線が設けられており、天部側シート１Ａの天部側固定部１Ａ４０の前記境界１Ａｘには折り曲げ用罫線が設けられていないから、両固定部１Ａ４０，１Ｂ４０がヒートシールされて形成された容器固定部１４０は、底部側シート１Ｂの方向に折り曲げられる。すなわち、底部側固定部１Ｂ４０は前記境界１Ｂｘに設けられた折り曲げ用罫線で底部側シート１Ｂの方向に折り曲げられ、天部側シート１Ａの天部側固定部１Ａ４０は、その境界１Ａｘで折り曲げられることなく、底部側シート１Ｂの底部側固定部１Ｂ４０の外面側に重ねられ
る。そして、このため、底部側シート１Ｂの端縁１Ｂｙは天部側シート１Ａの天部側固定部１Ａ４０に覆われて外面に露出することがない。
【００６３】
なお、このようにつなぎ片１３１〜１３４を二つ折りすることにより平坦な状態から箱型の状態に変形する際には、その内容積が急激に増大することから、空気等の流体に圧力をかけて吹き込みながら二つ折りすることが望ましい。空気のほか、任意のガスであってもよい。また、収容する内容物が液体である場合には、この液体内容物を加圧して開口部１１から充填することにより、包装容器１を膨らませながらつなぎ片１３１〜１３４を二つ折りすることにより箱型の状態に変形することができる。このようにガスあるいは液体を加圧して吹き込んだ場合でも、容器固定部１４０の剥離強度が９Ｎ以上である場合には、包装容器１にピンホールを生じることがない。
【００６４】
次に、このように箱型の状態に変形された状態では、二つ折りされたつなぎ片１３１〜１３４が、包装容器１の外面に突出している。そこで、このつなぎ片１３１〜１３４を包装容器１の各側面１２１〜１２４に折り重ねることによって、その外観を整えることが望ましい。図４はこのようにつなぎ片１３１〜１３４を包装容器１の各側面１２１〜１２４に折り重ねた状態の包装容器１を示している。つなぎ片１３１〜１３４は、接着剤、接着テープあるいは面ファスナーやスナップボタン等の接合部材によって、各側面１２１〜１２４に着脱自在に固定することができる。
【００６５】
次に、箱型の状態の包装容器１を平坦な状態に変形させるためには、容器固定部１４０を把持して、包装容器１の外方に引っ張ればよい。容器固定部１４０を外方に引っ張ることにより、二つ折りされたつなぎ片１３１〜１３４が開き、包装容器１を平坦な状態に変形する。
【００６６】
この包装容器１は、次にように使用することができる。
【００６７】
すなわち、まず、この包装容器１を平坦な状態で製造し、かつ、この状態で保管し、内容物充填工程まで移送することが望ましい。そして、内容物充填工程にて包装容器１を箱型の状態に変形した後、開口部１Ａ１１から内容物を充填し、開口部１Ａ１１を閉塞することにより、内容物入りの包装体とすることができる。
【００６８】
こうして箱型の状態で内容物を収容した包装体は、この内容物を排出した後、再度平坦な状態に戻すことができる。このようにこの包装体は繰り返して箱型の状態と平坦な状態に変形することが可能である。
【００６９】
なお、このように繰り返して包装容器１を箱型の状態と平坦な状態に変形する場合には、容器固定部１４０の剥離強度が２０Ｎ以上であることが望ましい。剥離強度が２０Ｎ以上である場合には、空気等の流体を吹き込みながら平坦な状態から箱型の状態に変形した後、平坦な状態に戻し、次に空気等の流体を吹き込みながら箱型の状態に再度変形した場合でも、包装容器１にピンホールを生じることがない。
【００７０】
なお、天部側シート１Ａや底部側シート１Ｂとしては、例えば、紙製の基材層に、熱可塑性樹脂層やシーラント層を積層した積層フィルムを好適に用いることができる。これ以外にも、必要な機能に応じて、バリア層や機能性フィルム等を適宜追加してもよい。また、天部側シート１Ａや底部側シート１Ｂの端部は、既知の方法で端面保護されていてもよい。
【００７１】
次に、図５を参照して、第１の具体例の変形例を説明する。この包装容器１は、１枚のシートで天部側シート１Ａと底部側シート１Ｂの双方を構成し、折り曲げ用罫線１ＡＢで
これら天部側シート１Ａと底部側シート１Ｂとを区分したもので、その他は第１の具体例と同様である。このため、天部側シート１Ａの天部側固定部はこの折り曲げ用罫線１ＡＢとヒートシール領域とで構成されており、この折り曲げ用罫線１ＡＢとヒートシール領域との両者を併せて、天部側シート１Ａの全周囲を包囲するように構成されている。同様に底部側シート１Ｂの底部側固定部はこの折り曲げ用罫線１ＡＢとヒートシール領域とで構成され、この折り曲げ用罫線１ＡＢとヒートシール領域との両者を併せて、底部側シート１Ｂの全周囲を包囲するように構成されている。そして、この折り曲げ用罫線１ＡＢで折り曲げることにより、天部側シート１Ａと底部側シート１Ｂとを重ね合わせることができる。
【００７２】
この変形例においては、容器固定部１４０は、折り曲げ用罫線１ＡＢと、天部側シート１Ａと底部側シート１Ｂとをヒートシールして形成されたヒートシール領域との両者で構成されている。折り曲げ用罫線１ＡＢの位置にピンホールを生じることはないから、容器固定部１４０のうち折り曲げ用罫線１ＡＢを除く前記ヒートシール領域の剥離強度が９Ｎ以上であれば、空気等の流体を吹き込みながら平坦な状態から箱型の状態に変形する場合でも、包装容器１にピンホールを生じることがない。望ましくは２０以上である。
【００７３】
次に、図６〜図８を参照して、本発明の第２の具体例を説明する。この包装容器２は、天部側シート２Ａの天面２Ａ１０を正六角形状とし、底部側シート２Ｂの底面２Ｂ１０を天面２Ａ１０と同形同大の正六角形状に構成したもので、これら天部側シート２Ａの端縁２Ａｙ及び底部側シート２Ｂの端縁２Ｂｙには、それぞれ、深さ０．５ｍｍ以上の凹部２Ａｙ１，２Ａｙ２及び２Ｂｙ１，２Ｂｙ２から成る位置合わせマークが２個以上設けられている。天部側シート２Ａの端縁２Ａｙ及び底部側シート２Ｂの端縁２Ｂｙはいずれも円状であるが、天部側シート２Ａの横方向の長さ２ＬＡは底部側シート２Ｂの横方向の長さ２ＬＢより長く、その差は０．３ｍｍ以上である。また、天部側シート２Ａの縦方向の長さ２ＨＡも底部側シート２Ｂの縦方向の長さ２ＨＢより長く、その差も０．３ｍｍ以上である。このため、天部側シート２Ａは、どの方向でも、その長さが底部側シート２Ｂの長さより０．３ｍｍ以上長い。このため、この包装容器２は、箱型の状態と平坦な状態とのいずれの状態においても、底部側シート２Ｂの端縁２Ｂｙが天部側シート２Ａに覆われて露出することがない。なお、この包装容器２も、第１の具体例と同様の方法で箱型の状態と平坦な状態との間で繰り返して変形させることができる。
【００７４】
次に、図９〜及び図１１を参照して、本発明の第３の具体例を説明する。この包装容器３は、天部側シート３Ａの天面３Ａ１０を正三角形状とし、底部側シート３Ｂの底面３Ｂ１０を天面３Ａ１０と同形同大の正三角形状に構成したもので、これら天部側シート３Ａの端縁３Ａｙ及び底部側シート３Ｂの端縁３Ｂｙには、それぞれ、深さ０．５ｍｍ以上の凹部３Ａｙ１，３Ａｙ２及び３Ｂｙ１，３Ｂｙ２から成る位置合わせマークが２個以上設けられている。天部側シート３Ａの外形線３Ａｙ及び底部側シート３Ｂの端縁３Ｂｙは、いずれも、３本の円弧をつないで構成したものであるが、天部側シート３Ａの横方向の長さ３ＬＡは底部側シート３Ｂの横方向の長さ３ＬＢより長く、その差は０．３ｍｍ以上である。このため、天部側シート３Ａは、どの方向でも、その長さが底部側シート３Ｂの長さより０．３ｍｍ以上長く、この包装容器３は、箱型の状態と平坦な状態とのいずれの状態においても、底部側シート３Ｂの端縁３Ｂｙが天部側シート３Ａに覆われて露出することがない。この包装容器３も、第１の具体例や第２の具体例と同様の方法で箱型の状態と平坦な状態との間で繰り返して変形させることができる。
【実施例】
【００７５】
（実施例１）
図１及び図２に示すように、略長方形状の天部側シート１Ａと底部側シート１Ｂとを使用した。これら天部側シート１Ａと底部側シート１Ｂは、いずれも、包装容器外面側から
、ポリエチレン樹脂層（厚さ２５μｍ）、紙（坪量２５０ｇ／ｍｍ２）、ポリエチレン樹脂層（厚さ２５μｍ）、アルミニウム箔（厚さ６μｍ）、ポリエステルフィルム（厚さ１２μｍ）、ポリエチレン樹脂層（厚さ４０μｍ）の層構成を有している。また、図１及び図２に示すように、天部側シート１Ａは、その端縁１Ａｙの２箇所に、内側に窪んだ凹部から成る位置合わせマーク１Ａｙ１，１Ａｙ２を有しており、底部側シート１Ｂも、その端縁１Ｂｙであって前記位置合わせマーク１Ａｙ１，１Ａｙ２に対応する位置に、内側に窪んだ凹部から成る２つの位置合わせマーク１Ｂｙ１，１Ｂｙ２を有している。
【００７６】
なお、天部側シート１Ａの横方向の長さ１ＬＡは１８０．０ｍｍ、縦方向の長さ１ＨＡは２００．０ｍｍである。また、底部側シート１Ｂの横方向の長さ１ＬＢは１７７．０ｍｍ、縦方向の長さ１ＨＢは１９７．０ｍｍで、縦横いずれの方向でも、天部側シート１Ａは底部側シート１Ｂよりも３．０ｍｍ長い。このため、両シート１Ａ，１Ｂを位置ずれなく正確に重ね合わせた場合には、天部側シート１Ａの端縁１Ａｙと底部側シート１Ｂの端縁１Ｂｙと距離は１．５ｍｍとなる。
【００７７】
そして、このような天部側シート１Ａと底部側シート１Ｂとを重ね合わせ、位置合わせマーク１Ａｙ１，１Ａｙ２及び１Ｂｙ１，１Ｂｙ２を利用して位置合わせした後、周縁の固定部１Ａ４０，１Ｂ４０を互いにヒートシールして、平坦な状態の包装容器１を製造した。ヒートシールで形成した容器固定部１４０の剥離強度を、包装容器１の各辺ごとに５点（包装容器１の２０点）で測定したところ、その平均は３０Ｎであった。なお、剥離強度は、ＪＩＳ  Ｚ０２３８「ヒートシール軟包装袋及び半剛性容器の試験方法」の「袋のヒートシール強さ試験」に従って測定した。
【００７８】
続いて、空気に圧力をかけて吹き込みながらすべてのつなぎ片１３１〜１３４を二つ折りすることにより箱型の状態の包装容器１を製造し、最後につなぎ片１３１〜１３４を包装容器１の各側面１２１〜１２４に折り重ねた。
【００７９】
このように箱型の状態の包装容器１を合計１０個製造し、ヒートシールで形成した容器固定部１４０にピンホールが発生した包装容器１の数を数えた。この結果を、１回目の箱型の状態でピンホールが発生した包装容器１の数として、表１に示す。
【００８０】
次に、こうして箱型の状態とした包装容器１の容器固定部１４０を引っ張って平坦な状態に戻した後、空気に圧力をかけて吹き込みながらすべてのつなぎ片１３１〜１３４を二つ折りして再び箱型の状態に変形した。こうして、再度箱型の状態とした包装容器１のうち、前記容器固定部１４０にピンホールが発生した包装容器１の数を数えた。この結果を、２回目の箱型の状態でピンホールが発生した包装容器１の数として、併せて表１に示す。
【００８１】
（実施例２）
ヒートシールで形成した容器固定部１４０の剥離強度を平均２０Ｎとしたほか、実施例１と同様に箱型の状態の包装容器１を製造し、容器固定部１４０にピンホールが発生した包装容器１の数（１回目）を数えた。また、平坦な状態に戻した後、再度箱型の状態とした包装容器１のうち、前記容器固定部１４０にピンホールが発生した包装容器１の数（２回目）を数えた。この結果を表１に示す。
【００８２】
（実施例３）
ヒートシールで形成した容器固定部１４０の剥離強度を平均１５Ｎとしたほか、実施例１と同様に箱型の状態の包装容器１を製造し、容器固定部１４０にピンホールが発生した包装容器１の数（１回目）を数えた。また、平坦な状態に戻した後、再度箱型の状態とした包装容器１のうち、前記容器固定部１４０にピンホールが発生した包装容器１の数（２
回目）を数えた。この結果を表１に示す。
【００８３】
（実施例４）
ヒートシールで形成した容器固定部１４０の剥離強度を平均１０Ｎとしたほか、実施例１と同様に箱型の状態の包装容器１を製造し、容器固定部１４０にピンホールが発生した包装容器１の数（１回目）を数えた。また、平坦な状態に戻した後、再度箱型の状態とした包装容器１のうち、前記容器固定部１４０にピンホールが発生した包装容器１の数（２回目）を数えた。この結果を表１に示す。
【００８４】
（実施例５）
ヒートシールで形成した容器固定部１４０の剥離強度を平均９Ｎとしたほか、実施例１と同様に箱型の状態の包装容器１を製造し、容器固定部１４０にピンホールが発生した包装容器１の数（１回目）を数えた。また、平坦な状態に戻した後、再度箱型の状態とした包装容器１のうち、前記容器固定部１４０にピンホールが発生した包装容器１の数（２回目）を数えた。この結果を表１に示す。
【００８５】
（比較例１）
ヒートシールで形成した容器固定部１４０の剥離強度を平均８Ｎとしたほか、実施例１と同様に箱型の状態の包装容器１を製造し、容器固定部１４０にピンホールが発生した包装容器１の数（１回目）を数えた。また、平坦な状態に戻した後、再度箱型の状態とした包装容器１のうち、前記容器固定部１４０にピンホールが発生した包装容器１の数（２回目）を数えた。この結果を表１に示す。
【００８６】
（比較例２）
天部側シート１Ａと底部側シート１Ｂとして、包装容器外面側から、ポリエチレン樹脂層（厚さ２５μｍ）、紙（坪量２５０ｇ／ｍｍ２）、ポリエチレン樹脂層（厚さ４０μｍ）の層構成を有する積層シートを使用した。そして、ヒートシールで形成した容器固定部１４０の剥離強度を平均８Ｎとしたほか、実施例１と同様に箱型の状態の包装容器１を製造し、容器固定部１４０にピンホールが発生した包装容器１の数（１回目）を数えた。また、平坦な状態に戻した後、再度箱型の状態とした包装容器１のうち、前記容器固定部１４０にピンホールが発生した包装容器１の数（２回目）を数えた。この結果を表１に示す。
【００８７】
【表１】
2020001709.tif 000003
実施例１〜５と比較例１を対比して分かるように、ヒートシールで形成した容器固定部１４０の剥離強度が９Ｎ以上である場合には、空気に圧力をかけて吹き込みながら包装容器を平坦な状態から箱型の状態に変形しても、この容器固定部１４０にピンホールを生じることはない。一方、剥離強度がこれより低い場合には、この変形の際にピンホールを生じることがあり、安定して変形することができない。
【００８８】
また、比較例１と比較例２を対比すると、この結果が天部側シート１Ａや底部側シート１Ｂの材質に依存しないことも理解できる。
【００８９】
なお、実施例１，２と実施例３〜５とを対比することにより、前記剥離強度が２０Ｎ以上の場合には、繰り返して箱型の状態と平坦な状態に変形させた場合にも、ピンホールを生じないことが分かる。
【符号の説明】
【００９０】
１：包装容器
１Ａ：天部側シート
１Ａ１０：天面    １Ａ１１：開口部
１Ａ２１〜１Ａ２４：天部側側面
１Ａ３１〜１Ａ３４：天部側つなぎ片    １Ａ３３ｃ：天部側二つ折り用罫線
１Ａ４０：天部側シートの固定部
１Ｂ：底部側シート
１Ｂ１０：底面
１Ｂ２１〜１Ｂ２４：底部側側面
１Ｂ３１〜１Ｂ３４：底部側つなぎ片    １Ｂ３３ｃ：底部側二つ折り用罫線
１Ｂ４０：底部側シートの固定部
１４０：容器固定部（ヒートシール領域）
２：包装容器
３：包装容器
【図１】
2020001709.tif 000004
【図２】
2020001709.tif 000005
【図３】
2020001709.tif 000006
【図４】
2020001709.tif 000007
【図５】
2020001709.tif 000008
【図６】
2020001709.tif 000009
【図７】
2020001709.tif 000010
【図８】
2020001709.tif 000011
【図９】
2020001709.tif 000012
【図１０】
2020001709.tif 000013
【図１１】
2020001709.tif 000014